【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
識別情報の表示が行われる表示装置と、その表示装置で行われる前記識別情報の表示の制御を行う表示制御手段と、その表示制御手段に駆動電圧を供給する電源手段とを備えた遊技機において、
前記表示制御手段は、
前記表示装置で表示を行うための前記識別情報があらかじめ記憶されると共に、その記憶された識別情報が読み出し可能に構成された第１記憶手段と、
前記電源手段により駆動電圧が供給されると、前記識別情報を前記第１記憶手段から読み出す読出手段と、
その読出手段により読み出された識別情報が記憶されると共に、書き込み及び読み出し可能に構成された第２記憶手段と、
その第２記憶手段に記憶された識別情報に基づいた表示を、前記表示装置で実行する表示実行手段とを備え、
前記第１記憶手段に記憶される識別情報は、第１の表示情報と第２の表示情報とで構成され、
前記読出手段は、前記電源手段により駆動電圧が供給されると、前記第２の表示情報の読み出しを行うと共に、その第２の表示情報の読み出し後に前記第１の表示情報の読み出しを行うものであり、
前記表示実行手段は、前記読出手段により読み出される第１の表示情報が前記第２記憶手段に記憶されるまでの間は前記表示装置の表示を前記第２の表示情報に基づいて行うと共に、前記第１の表示情報が前記第２記憶手段に記憶された後は前記表示装置の表示を前記第１及び第２の表示情報に基づいて行うものであることを特徴とする遊技機。
【請求項２】
前記第２の表示情報は、前記第１の表示情報に対して少ない情報量に構成されていることを特徴とする請求項１記載の遊技機。
【請求項３】
遊技者に有利な有価価値を付与する大当たりの抽選を、始動条件が成立することに伴い行う抽選手段を備え、
その抽選手段の抽選結果に基づいて前記第２の表示情報が特定の表示態様で停止表示された場合に、遊技者に有利な遊技価値を付与する遊技状態へ移行するものであり、
前記表示実行手段は、前記抽選手段の抽選結果に基づいて、前記第２の表示情報の変動表示を行うと共に前記第２の表示情報を停止表示させるものであることを特徴とする請求項１又は２に記載の遊技機。
【請求項４】
前記表示実行手段は、前記第２の表示情報に基づく変動表示が実行されていない場合に、前記第２の表示情報に基づく変動表示から第１及び第２の表示情報に基づく変動表示への切り替えを行う切替手段を備えていることを特徴とする請求項３記載の遊技機。
【請求項５】
前記抽選手段による抽選結果が当たりとなった場合に、前記表示装置に所定の第２の表示情報を停止表示させた後に、遊技者に有利な遊技価値が付与される特別遊技状態に移行する移行手段を備え、
前記第１記憶手段は、前記特別遊技状態中に前記表示装置で表示される特別表示情報を記憶すると共に、その特別表示情報は、前記第１の表示情報と第２の表示情報とで構成されていることを特徴とする請求項３又は４に記載の遊技機。
【手続補正２】
【補正対象書類名】明細書
【補正対象項目名】０００９
【補正方法】変更
【補正の内容】
【０００９】
この遊技機の電源が投入されると、電源手段により駆動電圧が供給されて読出手段により第２の表示情報が読み出され、その後、第１の表示情報が読み出される。その読み出された第１及び第２の表示情報は第２記憶手段に記憶されるが、第２の表示情報が先に読み出されるので、第２の表示情報の第２記憶手段への記憶が早期に完了される。そして、第１の表示情報が第２記憶手段に記憶されるまでは、表示実行手段により第２の表示情報に基づいた表示が表示装置で行われ、第１の表示情報が読み出されて識別情報の読み出しが終わると、第１及び第２の表示情報に基づいた表示が表示装置で行われる。
請求項２記載の遊技機は、請求項１記載の遊技機において、前記第２の表示情報は、前記第１の表示情報に対して少ない情報量に構成されている。
請求項３記載の遊技機は、請求項１又は２に記載の遊技機において、遊技者に有利な有価価値を付与する大当たりの抽選を、始動条件が成立することに伴い行う抽選手段を備え、その抽選手段の抽選結果に基づいて前記第２の表示情報が特定の表示態様で停止表示された場合に、遊技者に有利な遊技価値を付与する遊技状態へ移行するものであり、前記表示実行手段は、前記抽選手段の抽選結果に基づいて、前記第２の表示情報の変動表示を行うと共に前記第２の表示情報を停止表示させるものである。
請求項４記載の遊技機は、請求項３記載の遊技機において、前記表示実行手段は、前記第２の表示情報に基づく変動表示が実行されていない場合に、前記第２の表示情報に基づく変動表示から第１及び第２の表示情報に基づく変動表示への切り替えを行う切替手段を備えている。
請求項５記載の遊技機は、請求項３又は４に記載の遊技機において、前記抽選手段による抽選結果が当たりとなった場合に、前記表示装置に所定の第２の表示情報を停止表示させた後に、遊技者に有利な遊技価値が付与される特別遊技状態に移行する移行手段を備え、前記第１記憶手段は、前記特別遊技状態中に前記表示装置で表示される特別表示情報を記憶すると共に、その特別表示情報は、前記第１の表示情報と第２の表示情報とで構成されている。
【手続補正３】
【補正対象書類名】明細書
【補正対象項目名】００１０
【補正方法】変更
【補正の内容】
【００１０】
請求項１記載の遊技機によれば、表示実行手段により第１の表示情報が読み出されて識別情報の読み出しが終わる前に、第２の表示情報に基づく表示が表示装置で行われるので、表示装置における表示の開始を電源投入後、早期に行うことができる。よって、遊技機の電源投入直後に遊技者が遊技を開始した場合にも、表示装置での表示を早期に開始できる。
【手続補正４】
【補正対象書類名】明細書
【補正対象項目名】００１１
【補正方法】変更
【補正の内容】
【００１１】
また、表示装置で表示を行うための識別情報が、第１の表示情報と第２の表示情報とで構成されているので、電源投入直後の表示を識別情報の一部の表示情報に基づいて行うことができる。よって、電源投入直後の変動表示を行うための専用の表示情報を新たに設けなくてよいので、第１記憶手段に記憶される情報量を少なくすることができる。一般的に記憶手段は、その記憶される情報量が多くなるほど高価になるが、情報量を少なくできるので、製作コストを低減することができる。
請求項２記載の遊技機によれば、請求項１記載の遊技機の奏する効果に加え、第２の表示情報が第１の表示情報より少ない情報量に構成されているので、電源手段による駆動電圧の供給後早期に、第２の表示情報の読み出しが終了して、表示装置の表示を行うことができる。
請求項３記載の遊技機によれば、請求項１又は２に記載の遊技機の奏する効果に加え、抽選手段による大当たりの抽選結果に基づいた表示が第２の表示情報で行われる。ここで、一般的に、遊技者は、大当たりになることを期待して表示装置の表示を視認する。抽選手段による抽選結果は、第２の表示情報の停止表示の表示態様により確認することができ、第２の表示情報が特定の表示態様で停止したか否かを確認することで大当たりであるか否かを確認できる。よって、遊技者は、第２の表示情報の停止表示の表示態様が大当たりとなることを期待している。ここで、第２の表示情報が抽選手段による抽選結果を表すものでない場合には、電源手段による駆動電圧の供給後早期に表示が開始されたとしても、遊技者は、大当たりであるか否かを表示装置の表示から確認できないので、遊技に集中することができない。しかし、抽選手段による大当たりの抽選結果に基づいた表示が第２の表示情報で行われるので、遊技者は、電源手段による駆動電圧の供給後早期に大当たりであるか否かを明確に確認することができる。よって、遊技者は、電源手段による駆動電圧の供給後から遊技に集中することができる。
請求項４記載の遊技機によれば、請求項３記載の遊技機の奏する効果に加え、第２の表示情報に基づく変動表示が実行されていない場合に、第２の表示情報に基づく変動表示から第１及び第２の表示情報に基づく変動表示に切替手段により切り替えられる。例えば、遊技中の遊技者は、大当たりへの期待ができる変動表示か否かを確認するために表示装置の表示に集中する。そこで、遊技中に表示装置の表示が突然切り替わると、遊技者はその遊技機が故障したと思い遊技を中断する。しかし、遊技者が遊技を中断すると、遊技機の稼働率を低下させてしまうし、遊技機の故障は、遊技者に不快感を与えてしまう。しかし、第２の表示情報に基づく変動表示が実行されていない場合に、第２の表示情報に基づく変動表示から第１及び第２の表示情報に基づく変動表示に切り替えられるので、表示途中に突然表示が切り替わることを防止でき、遊技機の稼働率の低下を抑制できると共に、遊技者に不快感を与えることを低減できる。
請求項５記載の遊技機によれば、請求項３又は４に記載の遊技機の奏する効果に加え、特別遊技状態中に表示される特別表示情報が、第１の表示情報と第２の表示情報とで構成されているので、第２の表示情報に特別遊技状態中に表示させるための情報が含まれている。よって、第２の表示情報に基づく変動表示が当たりであった場合の特別遊技状態の表示を、その第２の表示情報に基づいて行うことができる。特別遊技状態となった場合に表示装置に全く表示がなされないと、遊技者が遊技を途中でやめてしまい、遊技者に損失を与えてしまうことが考えられる。しかし、第１の表示情報が読み出される前に特別遊技状態となっても、第２の表示情報に基づいた表示を行えるので、遊技者は、特別遊技状態であることを確認することができ、損失を与えることを低減することができる。
【手続補正５】
【補正対象書類名】明細書
【補正対象項目名】０２６７
【補正方法】変更
【補正の内容】
【０２６７】
ここで、本実施の形態において、請求項１記載の遊技機の第２の表示情報を読み出す読出手段としては図１８，図２２，図２５のＳ１２０４の簡易演出情報を読み出す処理が該当し、請求項１記載の遊技機の第１の表示情報を読み出す読出手段としては図２０のＳ１４０２の処理と図２３のＳ１６０２の処理と図２４のＳ１７０２の処理とが該当し、請求項１記載の遊技機の表示実行手段としては図１８，図２２，図２５のＳ１２１１，Ｓ１２１２の処理が該当し、請求項３記載の遊技機の抽選手段としては図１０のＳ４０１の処理が該当し、請求項４記載の遊技機の切替手段としては図１８，図２２，図２５のＳ１２１９の処理が該当し、請求項５記載の遊技機の移行手段としては図２５のＳ１２０５の処理が該当する。